(57)【要約】【課題】  ユーザーに対して内蔵時計の時刻に誤りがあったことを認識させることの可能な時計内蔵型装置、撮像装置、及び、時刻の誤りが生じていた時の不都合を解消することの可能な撮像装置を提供する。【解決手段】  パーソナルコンピュータ５０の時計５２から時刻データを取得すると共に、デジタルカメラ１０の内蔵時計３０から時刻データを取得する。そして、デジタルカメラ１０の内蔵時計３０の時刻データとが同時刻かどうかを判断し、同時刻であった場合には、ＬＣＤ１８へ、時刻に信頼性がある旨の表示を行なう。一方、同時刻でなかった場合には、ＬＣＤ１８へ、時刻が不正確である旨の表示を行なう。【選択図】  図３
2005332362.tif 000002
【特許請求の範囲】
【請求項１】
内蔵時計と、
外部装置と接続されることにより、この外部装置に内蔵された外部時計の時刻データを取得可能とされた時刻データ取得手段と、
前記時刻データ取得手段で読み取った外部時計の時刻と、前記内蔵時計の時刻とが同時刻であるかどうかを判断する判断手段と、
前記判断手段による判断が否定された場合に、前記内蔵時計の時刻が外部時計の時刻と同時刻でない旨を通知する時刻不一致通知手段と、
を備えた時計内蔵型装置。
【請求項２】
前記判断手段による判断が肯定された場合に、前記内蔵時計の時刻が外部時計と一致している旨の通知を出力する時刻一致通知手段、をさらに備えた請求項１に記載の時計内蔵型装置。
【請求項３】
画像データを取り込み可能な撮像手段と、
内蔵時計と、
前記撮像手段により取り込まれた画像データと、この画像データの取り込み時における前記内蔵時計の時刻と、に基づいて作成される画像ファイルを記録する記録手段と、
外部装置と接続されることにより、この外部装置に内蔵された外部時計の時刻データを取得可能とされた時刻データ取得手段と、
前記時刻データ取得手段で読み取った外部時計の時刻と、前記内蔵時計の時刻とが同時刻であるかどうかを判断する判断手段と、
前記判断手段による判断が否定された場合に、前記記録手段で記録された画像ファイルに撮像日時が不正確である旨を示す日時不正確情報を書き込む書き込み手段と、
を備えた撮像装置。
【請求項４】
画像データを取り込み可能な撮像手段と、
内蔵時計と、
前記撮像手段により取り込まれた画像データと、この画像データの取り込み時における前記内蔵時計の時刻と、に基づいて作成される画像ファイルを記録する記録手段と、
外部装置と接続されることにより、この外部装置に内蔵された外部時計の時刻データを取得可能とされた時刻データ取得手段と、
前記時刻データ取得手段で読み取った外部時計の時刻と、前記内蔵時計の時刻とが同時刻であるかどうかを判断する判断手段と、
前記判断手段による判断が否定された場合に、前記内蔵時計の時刻を前記外部時計の時刻に修正すると共に、前記記録手段で記録された画像ファイルに記録されている撮像日時を前記内蔵時計と外部時計との時差に基づいて修正する修正手段と、
を備えた撮像装置。
【請求項５】
前記判断手段による判断が肯定された場合に、時刻が外部時計と一致している旨の通知を出力する時刻一致通知手段、をさらに備えた、請求項３または請求項４に記載の撮像装置。
【請求項６】
内蔵時計と、
前記内蔵時計の時刻が修正された修正日時を記憶する修正日時記憶手段と、
前記修正日時から所定期間経過しているかどうかを判断する期間経過判断手段と、
前記期間経過判断手段による判断が肯定された場合に、外部装置と接続されることにより、この外部装置に内蔵された外部時計の時刻データを取得する時刻データ取得手段と、
前記時刻データ取得手段で読み取った外部時計の時刻と、前記内蔵時計の時刻との時差が所定時間以上かどうかを判断する時差判断手段と、
前記時差判断手段による判断が肯定された場合に、前記内蔵時計の時刻を前記外部時計の時刻へ修正する時刻修正手段と、
を備えた時計内蔵型装置。
【請求項７】
内蔵時計と、
外部装置と接続されることにより、この外部装置に内蔵された外部時計の時刻データを取得可能とされた時刻データ取得手段と、
前記時刻データ取得手段で取得した外部時計の時刻と、前記内蔵時計の時刻との時差が所定時間以上かどうかを判断する時差判断手段と、
前記時差判断手段による判断が肯定された場合に、前記内蔵時計の時刻を前記外部時計の時刻へ修正する時刻修正手段と、
外部装置との接続時に、予め設定されている選択に基づいて、接続ケーブルから供給される電力を使用するか、動作用電源から供給される電力を使用するかを決定する電力供給源決定手段と、
を備えた時計内蔵型装置。
【請求項８】
前記電力供給源決定手段により接続ケーブルから供給される電力を使用する旨が決定された場合には、前記時刻修正手段による時刻修正に必要な部分にのみ電力の供給を行なうこと、
を特徴とする請求項７に記載の時計内蔵型装置。
【発明の詳細な説明】
【技術分野】
【０００１】
本発明は、時計内蔵型装置、及び、撮像装置に関する。
ここまで
【背景技術】
【０００２】
デジタルカメラ、ＰＤＡ、パーソナルコンピュータなどの、時計内蔵型装置の時計は、バッテリー交換やその他の原因で、実際の時間と大きくずれてしまうことがある。しかしながら、これらの時計内蔵型装置については、時計機能とは異なる他の主たる機能が使われるため、時間の相違の修正は忘れられがちであった。
【０００３】
ところで、特許文献１〜４には、放送信号、電話回線から得られる時報、ＧＰＳ信号に含まれる時刻情報から標準時刻を得て、時刻を修正する技術が開示されている。しかしながら、特許文献１〜４に示す技術では、自動的に時刻が修正されてしまうため、修正されるまでの間、内蔵時計の時刻に誤りがあったことをユーザーが認識できず、時刻の誤りが生じていた間の不都合を解消することができなかった。
【特許文献１】特開平５−１５００５８号公報
【特許文献２】特開平８−３１６８５８号公報
【特許文献３】特開平９−９６６９１号公報
【特許文献４】特開平９−２６１７１６号公報
【発明の開示】
【発明が解決しようとする課題】
【０００４】
本発明は、上記事実を考慮して成されたものであり、内蔵時計の時刻に誤りがあったことによる不都合を解消することの可能な時計内蔵型装置、及び、撮像装置を提供することを目的とする。
【課題を解決するための手段】
【０００５】
上記課題を解決するために、請求項１に記載の時計内蔵型装置は、内蔵時計と、外部装置と接続されることにより、この外部装置に内蔵された外部時計の時刻データを取得可能とされた時刻データ取得手段と、前記時刻データ取得手段で読み取った外部時計の時刻と、前記内蔵時計の時刻とが同時刻であるかどうかを判断する判断手段と、前記判断手段による判断が否定された場合に、前記内蔵時計の時刻が外部時計の時刻と同時刻でない旨を通知する時刻不一致通知手段と、を含んで構成されている。
【０００６】
本発明の時計内蔵型装置を、外部時計を内蔵した外部装置と接続すると、時刻取得手段により、外部時計の時刻データが取得される。ここでの時刻データとは、年、月、日、時、分、秒の少なくとも１つを含むものをいう。そして、判断手段により、時刻取得手段で読み取った外部時計の時刻と、内蔵時計の時刻とが同時刻であるかどうかが判断される。ここで、同時刻とは、完全な同時刻である必要はなく、分単位や数秒単位など、予め定めた所定の範囲内であれば同時刻と判断してよい。判断手段による判断が否定された場合には、時刻不一致通知手段により、内蔵時計の時刻が外部時計と不一致である旨が通知される。
【０００７】
この通知により、ユーザーは、内蔵時計の時刻が外部時計と不一致であり、不正確である可能性が高いことを認識することができる。したがって、時刻が不正確であった間に生じている不都合、例えば、この間に作成されたファイルのファイル作成時刻の誤りや、この間に送受信されたデータの送受信時刻の誤りなどを知ることができ、これらの時刻を修正するなどの適切な処置を施すことができる。
【０００８】
なお、本発明の時刻内蔵型装置は、請求項２に記載のように、前記判断手段による判断が肯定された場合に、前記内蔵時計の時刻が外部時計と一致している旨の通知を出力する時刻一致通知手段、をさらに備えることもできる。
【０００９】
外部時計の時刻と内蔵時計の時刻とが同時刻の場合には、内蔵時刻の時刻は正確である可能性が高い。そこで、外部時計の時刻と内蔵時計の時刻とが同時刻の場合に、時刻一致通知手段により、内蔵時計の時刻が外部時計と一致している旨の通知を出力する。これにより、ユーザーは、内蔵時刻の時刻が正確である可能性が高いことを認識することができる。
【００１０】
請求項３に記載の撮像装置は、画像データを取り込み可能な撮像手段と、内蔵時計と、前記撮像手段により取り込まれた画像データと、この画像データの取り込み時における前記内蔵時計の時刻と、に基づいて作成される画像ファイルを記録する記録手段と、
外部装置と接続されることにより、この外部装置に内蔵された外部時計の時刻データを取得可能とされた時刻データ取得手段と、前記時刻データ取得手段で読み取った外部時計の時刻と、前記内蔵時計の時刻とが同時刻であるかどうかを判断する判断手段と、前記判断手段による判断が否定された場合に、前記記録手段で記録された画像ファイルに撮像日時が不正確である旨を示す日時不正確情報を書き込む書き込み手段と、を含んで構成されている。
【００１１】
請求項３に記載の撮像装置では、撮像手段により画像データが取り込まれ、取り込まれた画像データと、この画像データの取り込み時における前記内蔵時計の時刻と、に基づいて作成された画像ファイルが、記録手段により記録される。
【００１２】
また、撮像装置を外部時計を内蔵した外部装置と接続すると、時刻データ取得手段により、外部時計の時刻データが取得される。そして、判断手段により、時刻データ取得手段で読み取った外部時計の時刻と、内蔵時計の時刻とが同時刻であるかどうかが判断される。ここでの同時刻も、完全な同時刻である必要はなく、分単位や数秒単位など、予め定めた所定の範囲内であれば同時刻と判断してよい。そして、判断手段による判断が否定された場合に、書き込み手段により、記録手段で記録された画像ファイルに撮像日時が不正確である旨を示す日時不正確情報が書き込まれる。
【００１３】
請求項３の撮像装置によれば、画像ファイルに日時不正確情報が書き込まれるので、ユーザーは、撮像装置に内蔵された内蔵時計の時刻と外部時計の時刻とが不一致であり、不一致の間に記録された画像ファイルの撮影日時が不正確であることを認識することができる。
【００１４】
請求項４に記載の撮像装置は、画像データを取り込み可能な撮像手段と、内蔵時計と、前記撮像手段により取り込まれた画像データと、この画像データの取り込み時における前記内蔵時計の時刻と、に基づいて作成される画像ファイルを記録する記録手段と、  外部装置と接続されることにより、この外部装置に内蔵された外部時計の時刻データを取得可能とされた時刻データ取得手段と、前記時刻データ取得手段で読み取った外部時計の時刻と、前記内蔵時計の時刻とが同時刻であるかどうかを判断する判断手段と、前記判断手段による判断が否定された場合に、前記内蔵時計の時刻を前記外部時計の時刻に修正すると共に、前記記録手段で記録された画像ファイルに記録されている撮像日時を前記内蔵時計と外部時計との時差に基づいて修正する修正手段と、を含んで構成されている。
【００１５】
請求項４に記載の撮像装置では、撮像手段により画像データが取り込まれ、取り込まれた画像データと、この画像データの取り込み時における前記内蔵時計の時刻と、に基づいて作成された画像ファイルが、記録手段により記録される。
【００１６】
また、撮像装置を外部時計を内蔵した外部装置と接続すると、時刻データ取得手段により、外部時計の時刻データが取得される。そして、判断手段により、時刻データ取得手段で読み取った外部時計の時刻と、内蔵時計の時刻とが同時刻であるかどうかが判断される。ここでの同時刻も、完全な同時刻である必要はなく、分単位や数秒単位など、予め定めた所定の範囲内であれば同時刻と判断してよい。そして、判断手段による判断が否定された場合に、修正手段により内蔵時計の時刻が外部時計の時刻に修正されると共に、記録手段で記録された画像ファイルに記録されている撮像日時が内蔵時計と外部時計との時差に基づいて修正される。
【００１７】
したがって、請求項４の撮像装置によれば、撮像装置の内蔵時計の時刻が自動的に外部時計の時刻に修正されると共に、画像ファイルに記録されている撮影日時も自動的に修正されるので、時刻の誤りが生じていた間に生じた不都合を解消することができる。
【００１８】
なお、請求項３及び請求項４の撮像装置は、請求項５に記載のように、前記判断手段による判断が肯定された場合に、時刻が外部時計と一致している旨の通知を出力する時刻一致通知手段、をさらに備えることもできる。
【００１９】
外部時計の時刻と撮像装置の内蔵時計の時刻とが同時刻の場合には、内蔵時刻の時刻は正確である可能性が高い。そこで、外部時計の時刻と内蔵時計の時刻とが同時刻の場合に、時刻一致通知手段により、内蔵時計の時刻が外部時計と一致している旨の通知を出力する。これにより、ユーザーは、内蔵時刻の時刻が正確である可能性が高いことを認識することができる。
【００２０】
請求項６に記載の時計内蔵型装置は、内蔵時計と、前記内蔵時計の時刻が修正された修正日時を記憶する修正日時記憶手段と、前記修正日時から所定期間経過しているかどうかを判断する期間経過判断手段と、前記期間経過判断手段による判断が肯定された場合に、外部装置と接続されることにより、この外部装置に内蔵された外部時計の時刻データを取得する時刻データ取得手段と、前記時刻データ取得手段で読み取った外部時計の時刻と、前記内蔵時計の時刻との時差が所定時間以上かどうかを判断する時差判断手段と、前記時差判断手段による判断が肯定された場合に、前記内蔵時計の時刻を前記外部時計の時刻へ修正する時刻修正手段と、を備えている。
【００２１】
本発明の時計内蔵型装置では、修正日時記憶手段によって内蔵時計の時刻が修正された修正日時が記憶される。そして、期間経過判断手段によって、この修正日時から所定期間経過しているかどうかが判断される。ここでの判断が肯定された場合に、外部装置と接続されることで、時刻データ取得手段が外部装置に内蔵された外部時計の時刻データを取得する。
【００２２】
次に、時差判断手段が時刻データ取得手段で読み取った外部時計の時刻と内蔵時計の時刻との時差が所定時間以上かどうかを判断する。ここでの所定時間は、予め記憶させておいた期間であってもよいし、ユーザーが入力により指定するものであってもよい。そして、時差判断手段による判断が肯定された場合に、時刻修正手段が内蔵時計の時刻を外部時計の時刻へ修正する。
【００２３】
このように、本発明の時計内蔵装置によれば、時刻の修正が行なわれてから所定期間の経過後に外部装置と接続されることにより時刻の確認及び修正を行なうことができる。
【００２４】
請求項７に記載の時計内蔵型装置は、内蔵時計と、外部装置と接続されることにより、この外部装置に内蔵された外部時計の時刻データを取得可能とされた時刻データ取得手段と、前記時刻データ取得手段で取得した外部時計の時刻と、前記内蔵時計の時刻との時差が所定時間以上かどうかを判断する時差判断手段と、前記時差判断手段による判断が肯定された場合に、前記内蔵時計の時刻を前記外部時計の時刻へ修正する時刻修正手段と、外部装置との接続時に、予め設定されている選択に基づいて、接続ケーブルから供給される電力を使用するか、動作用電源から供給される電力を使用するかを決定する電力供給源決定手段と、を備えている。
【００２５】
ここで、動作用電源とは、時計内蔵型装置の内部に収納されている電池や、ＡＣアダプタなどを介して供給される外部電源を含むものである。
【００２６】
本発明の時計内蔵型装置を、外部時計を内蔵した外部装置と接続すると、時刻取得手段により、外部時計の時刻データが取得される。そして、時差判断手段で、時刻取得手段で取得した外部時計の時刻と、内蔵時計の時刻との時差が所定時間以上かを判断する。判断が肯定された場合には、時刻修正手段が内蔵時計の時刻を前記外部時計の時刻へ修正する。このときの電源は、電力供給源決定手段で、予め設定されている選択に基づいて、接続ケーブルから供給される電力を使用するか、動作用電源から供給される電力を使用するかを決定する。
【００２７】
このように、本発明の時計内蔵装置によれば、時刻の修正が行なわれる際の電力供給源を選択することができる。なお、予め設定される選択は、ユーザーによって指定されているものでもよいし、所定の条件に基づいて（例えば、接続ケーブルからの電力供給が可能な場合には、常に接続ケーブルからの電力を使用する等）決定されてもよい。
【００２８】
なお、請求項８に記載の時計内蔵型装置は、請求項７に記載のように、前記電力供給源決定手段により接続ケーブルから供給される電力を使用する旨が決定された場合には、前記時刻修正手段による時刻修正に必要な部分にのみ電力の供給を行なうこと、を特徴としている。
【００２９】
本構成によれば、外部装置との接続による時刻修正を行なう場合に、時刻修正に必要な部分にのみ電力の供給を行なうことを選択することができ、消費電力を少なくすることができる。
【発明の効果】
【００３０】
以上説明したように、本発明の時計内蔵型装置、及び撮像装置によれば、内蔵時計の時刻に誤りがあったことによる不都合を解消することができる。
【発明を実施するための最良の形態】
【００３１】
以下、図面を参照して本発明の時計内蔵型装置について説明する。本実施形態では、時計内蔵型装置としてデジタルカメラを例に説明するが、本発明は他に、携帯電話、カメラ付き携帯電話、パーソナルコンピュータ、ＰＤＡなどにも適用可能である。
【００３２】
［第１実施形態］
本実施形態のデジタルカメラ１０は、図１（Ａ）に示すように、カメラ本体１２を備え、前面にレンズ１４、上面にレリーズボタン１６を備える。また、図１（Ｂ）に示すように、背面に液晶ディスプレイ（以下「ＬＣＤ」という）１８、指示キー２２、電源ＳＷ２４、及び、その他各種の入力を行うための複数の入力ボタン２６を備える。
【００３３】
図２に示すように、カメラ本体１２の側面には、ＵＳＢインターフェース２８が備えられている。ＵＳＢインターフェース２８は、ＵＳＢケーブルＫを介して、外部装置としてのパーソナルコンピュータ５０と接続可能とされている。なお、本実施形態では、外部装置としてパーソナルコンピュータを例にあげているが、外部装置としては、時計の内蔵されたその他の機器、例えば、他のデジタルカメラ、ＰＤＡ、携帯電話などでもよい。
【００３４】
図３には、デジタルカメラ１０、及び、パーソナルコンピュータ５０の概略ブロック図が示されている。デジタルカメラ１０の内部には、内蔵時計３０、制御部３２、メディアインターフェース３４、内部メモリ３６、及び、画像データＤの取り込みを行なうと共に画像データＤに基づく画像ファイルＦの作成を行なう撮像系を構成する部分（以下「撮像系３８」という）が備えられている。なお、画像ファイルＦは、撮影日時データ及び画像データを含んで構成されている。画像データＤの取り込み時における内蔵時計３０の時刻データが、撮影日時データとして画像ファイルＦに書き込まれている。制御部３２、メディアインターフェース３４、撮像系３８、ＬＣＤ１８、内部メモリ３６、内蔵時計３０、ＵＳＢインターフェース２８は、バス４０を介して互いに接続されている。内部メモリ３６には、制御部３２で実行される各種プログラムが記憶されており、画像ファイルＦの一時的な記憶も行なわれる。制御部３２は、指示キ―２２、電源ボタン２４、入力ボタン２６と接続されている。また、制御部３２は、内部メモリ３６に記憶されている各種のプログラムを読み出し、読み出したプログラムに基づいて、デジタルカメラ１０全体の制御を行なう。メディアインターフェース３４は、外部メモリ３５への画像ファイルＦの書き込み、及び、外部メモリ３５からの画像ファイルＦの読み出しを行なう。
【００３５】
パーソナルコンピュータ５０には、時計５２、ＬＣＤ５４、ハードディスク５６、制御部５８、ＵＳＢインターフェース６０、入力キー６２、及び、電源ボタン６４備えられている。時計５２、ＬＣＤ５４、ハードディスク５６、制御部５８、ＵＳＢインターフェース６０は、バス６６を介して互いに接続されている。制御部５８には、入力キー６２、及び電源ボタン６４が接続されている。
【００３６】
上記構成のデジタルカメラ１０のＵＳＢインターフェース２８と、パーソナルコンピュータ５０のＵＳＢインターフェース６０とを、ＵＳＢケーブルＫを介して接続すると、デジタルカメラ１０の制御部３２では、図４に示す時刻確認処理が実行される。
【００３７】
ステップＳ１０で、パーソナルコンピュータ５０の時計５２から時刻データを取得し、ステップＳ１２で、デジタルカメラ１０の内蔵時計３０から時刻データを取得する。ここでの時刻データには、年、月、日、時、分、秒のデータが含まれている。ステップＳ１４で、パーソナルコンピュータ５０の時計５２の時刻データと、デジタルカメラ１０の内蔵時計３０の時刻データとが同時刻かどうかを判断する。ここで同時刻とは、完全な同時刻である必要はなく、分単位や数秒単位など、予め定めた所定の範囲内のことをいう。
【００３８】
判断が肯定された場合には、ステップＳ１６で、ＬＣＤ１８へ、図５（Ａ）に示すように、時刻に信頼性がある旨の表示を行なって本処理を終了する。これは、時計５２の時刻と内蔵時計３０の時刻とが同一である場合には、内蔵時計３０の時刻が正確である可能性が高いからである。一方、ステップＳ１４での判断が否定された場合には、ステップＳ１８で、ＬＣＤ１８へ、図５（Ｂ）に示すように、時刻が不正確である旨の表示を行なう。これは、時計５２の時刻と内蔵時計３０の時刻とが異なっていて、内蔵時計３０の時刻が不正確である可能性が高いからである。この表示により、ユーザーは、デジタルカメラ１０の時刻データが不正確であることを認識でき、ユーザーに対して、内蔵時計３０の時刻を修正したり、内蔵時計３０の時刻が不正確であった時に作成された、外部メモリ３５に記録されている画像ファイルＦの日付情報の修正を促すことができる。
【００３９】
なお、本処理では、パーソナルコンピュータ５０の時計５２の時刻データと、デジタルカメラ１０の内蔵時計３０の時刻データとが同時刻であった場合に、ステップＳ１６でＬＣＤ１８へ、図５（Ａ）に示すように、時刻に信頼性がある旨の表示を行なったが、ステップＳ１６は必ずしも必要ではない。特に、このような表示をすることにより、ユーザーに対して、デジタルカメラ１０の時刻データが信頼できることを認識させることができる。
【００４０】
デジタルカメラ１０をパーソナルコンピュータ５０へ接続する前に、ユーザーが、予め入力ボタン２６及び指示キー２２からの入力により、デジタルカメラ１０を画像ファイル撮影日時自動修正モードにしておけば、デジタルカメラ１０とパーソナルコンピュータ５０の接続により、図６に示す、画像ファイル撮影日時修正処理が実行される。
【００４１】
ステップＳ２０で、パーソナルコンピュータ５０の時計５２から時刻データを取得し、ステップＳ２２で、デジタルカメラ１０の内蔵時計３０から時刻データを取得する。ステップＳ２４で、パーソナルコンピュータ５０の時計５２の時刻データと、デジタルカメラ１０の内蔵時計３０の時刻データとが同時刻かどうかを判断する。判断が肯定された場合には、ステップＳ２６で、ＬＣＤ１８へ、図５（Ａ）に示すように、時刻に信頼性がある旨の表示を行なって本処理を終了する。一方、ステップＳ２４での判断が否定された場合には、ステップＳ２７で、内蔵時計３０の時刻を、パーソナルコンピュータ５０の時計５２の時刻に修正する。そして、ステップＳ２８で、撮影日時修正処理が行なわれる。
【００４２】
撮影日時修正処理は、図７に示すように、ステップＳ３０で、パーソナルコンピュータ５０の時計５２の時刻データと、デジタルカメラ１０の内蔵時計３０の時刻データとの差分Ｓを算出する。ステップＳ３２で、外部メモリ３５に記録されている画像ファイルＦを読み出し、ステップＳ３４で、外部メモリ３５に記録されている画像ファイルＦの撮影日時データを書き換える。ここでの書き換えは、算出された差分Ｓに基づいて行なわれる。例えば、差分Ｓが１分１０秒であった場合には、デジタルカメラ１０の内蔵時計３０の時刻が１分１０秒遅れているとして、既に記録されている撮影日時データを１分１０秒早めたものに書き換える。
【００４３】
また、画像ファイルの読み出し及び撮影日時データの書き換えは、外部メモリ３５に記録されているすべての画像ファイルＦについて実行される。
【００４４】
本処理によれば、内蔵時計３０の時刻が不正確であった間に作成された画像ファイルＦの撮影日時データを自動的に修正することができる。
【００４５】
なお、本処理のステップＳ２８では、画像ファイルＦの撮影日時データを自動的に修正する撮影日時修正処理を行なったが、ステップＳ２８の撮影日時修正処理に代えて、図８に示す、撮影日時不正確情報書き込み処理を行なうこともできる。撮影日時不正確情報書き込み処理では、ステップＳ４０で外部メモリ３５から画像ファイルＦを読み出し、ステップＳ４２で、画像ファイルＦへ撮影日時が不正確であることを示す撮影日時不正確情報を付加する。この撮影日時不正確情報書き込み処理によれば、画像ファイルＦに撮影日時不正確情報が付加されるので、ユーザーは、撮影日時の不正確な画像ファイルＦを特定することができ、この画像ファイルＦの撮影日付をの修正をすることができる。
【００４６】
以上説明したように、本実施形態では、パーソナルコンピュータ５０の時計５２の時刻と内蔵時計３０の時刻とが異なる場合に、内蔵時計３０の時刻が不正確であると判断して、時刻が不正確である旨の表示を行なったり、内蔵時計３０の時刻や画像ファイルＦの撮影日時データを修正して、内蔵時計３０の時刻が不正確であることによる不都合の解消を行うことができる。
【００４７】
なお、本実施形態では、パーソナルコンピュータ５０の時計５２から時刻データを取得して内部時計３０の時刻の正確性について判断したが、パーソナルコンピュータ５０と接続することなく、単に、デジタルカメラ１０に予め設定されているデフォルトの時刻、すなわち、デジタルカメラ１０の時刻の初期値に基づいて、内部時計３０の時刻の正確性を判断してもよい。これは、内蔵時計３０の時刻は、バッテリー交換時などには初期値から開始されるためである。この場合には、内蔵時計３０の時刻が初期値から開始された場合で、ユーザーによる時刻の修正がなかった場合に、内蔵時計３０の時刻が正確でないと判断する。そして、図５（Ａ）に示すような表示をＬＣＤ１８へ出力したり、外部メモリ３５に記録されている画像ファイルＦへ撮影日時不正確情報を付加したりすることにより、ユーザーに対して時刻が不正確であることによる不都合を認識させることができる。
【００４８】
［第２実施形態］
次に、本発明の第２実施形態について説明する。なお、第１実施形態と同様の部分については、同一の符号を付して詳細な説明は省略する。
【００４９】
本実施形態のデジタルカメラ８０は、図９（Ａ）に示すように、カメラ本体１２を備え、前面にレンズ１４、上面にレリーズボタン１６を備える。また、図９（Ｂ）に示すように、背面に液晶ディスプレイ（以下「ＬＣＤ」という）１８、指示キー２２、電源ＳＷ２４、電源選択スイッチ２５、及び、その他各種の入力を行うための複数の入力ボタン２６を備える。カメラ本体１２の側面には、ＵＳＢインターフェース２８が備えられている（図２参照）。電源選択スイッチ２５は、ＵＳＢインターフェース２８にＵＳＢケーブルＫが接続された際に、デジタルカメラ８０への電源供給元を、デジタルカメラ８０の内部とするか、接続されたＵＳＢケーブルＫとするかを選択するためのスイッチである。電源選択スイッチ２５は、溝２５Ａを左右にスライドし、デジタルカメラ８０の動作用電源（ＡＣアダプタによる外部電源や、電池ケース内の電池を電源）を選択するＩＮ位置と、ＵＳＢケーブルＫを電源とするＯＵＴ位置との間を移動可能とされている。
【００５０】
図１０には、デジタルカメラ８０、及び、パーソナルコンピュータ５０の概略ブロック図が示されている。デジタルカメラ８０の内部には、内蔵時計３０、制御部３２、メディアインターフェース３４、内部メモリ３６、及び、撮像系３８が備えられている。制御部３２、メディアインターフェース３４、撮像系３８、ＬＣＤ１８、内部メモリ３６、内蔵時計３０、ＵＳＢインターフェース２８は、バス４０を介して互いに接続されている。
【００５１】
内部メモリ３６には、制御部３２で実行される各種プログラムが記憶されており、画像ファイルＦの一時的な記憶も行なわれ、さらには、直近の内蔵時計３０が修正された日時（修正が未だ実行されていない間は、デフォルトの日時）を示す前修正日時データ、内蔵時計３０の日時修正を実行するタイミングを記憶した時刻修正間隔データ、及び、外部装置の時計との時刻差が所定値以上の場合に時刻修正を行なうための時差所定値データが記憶されている。時刻修正間隔データは、デジタルカメラ８０において、内蔵時計３０の時刻修正のタイミングを判断するために用いられるデータであり、所定の経過期間を内容とする。すなわち、前修正日時データから時刻修正間隔データ分だけ期間が経過していれば時刻修正を実行し、経過していなければ時刻修正を実施しないことになる。時刻修正間隔データとしては、予めユーザーが任意の期間を登録することができる。
【００５２】
制御部３２は、指示キー２２、電源ボタン２４、電源選択スイッチ２５、入力ボタン２６と接続されている。
【００５３】
パーソナルコンピュータ５０の構成は第１実施形態と同様であるため、詳細な説明は省略する。
【００５４】
上記構成のデジタルカメラ８０のＵＳＢインターフェース２８と、パーソナルコンピュータ５０のＵＳＢインターフェース６０とを、ＵＳＢケーブルＫを介して接続すると、デジタルカメラ８０では、図１１に示す時刻修正期間確認処理が実行される。
【００５５】
ステップＳ５０で、電源選択スイッチ２５がＩＮ位置にあるかどうかを判断する。判断が肯定された場合には、ステップＳ５２で、動作用電源からの電力を用いてデジタルカメラ８０を通常の動作用に起動させる。判断が否定された場合には、電源選択スイッチ２５がＯＵＴ位置にあるため、ステップＳ５４で、ＵＳＢケーブルＫからの電力を、内蔵時計３０の時刻を修正するために必要な、制御部３２、内部メモリ３６、内蔵時計３０、ＵＳＢインターフェース２８へ供給して起動させる。
【００５６】
次に、ステップＳ５６で内部メモリ３６から時差所定値データ、前修正日時データ、及び、時刻修正間隔データを読み出し、ステップＳ５８で内蔵時計３０から現日時データを読み出す。ステップＳ６０で、前修正日時データと現日時データとの差分の絶対値を算出し、ステップＳ６２で、算出された絶対値が時刻修正間隔データよりも大きいかどうかを判断する。判断が肯定された場合には、前回の時刻修正から所定期間経過しているため、ステップＳ６４へ進む。判断が否定された場合には、前回の時刻修正から所定期間経過していないため、そのまま本処理を終了する。
【００５７】
ステップＳ６４では、パソコン５０の時計５２の現日時データを取得し、ステップＳ６６で、内蔵時計３０の現日時データとパソコン５０の時計５２の現日時データとの差分の絶対値、すなわち時間差を算出する。ステップＳ６８で、算出された時間差が時差所定値データよりも大きいかどうかを判断し、判断が肯定された場合には、ステップＳ７０で、再度パソコン５０の時計５２の現日時データを取得し、ステップＳ７２で内蔵時計３０の時刻をパソコン５０の時計５２の現日時データに修正する。その後、ステップＳ７４で前修正日時データも時計５２の現日時データと置き換え、本処理を終了する。ステップＳ６８での判断が否定された場合には、時刻の修正を行なわずに本処理を終了する。
【００５８】
本実施形態によれば、時刻修正の場合には、動作用電源とＵＳＢケーブルＫからの電力供給とを選択することができ、時刻修正に必要な部分のみに電力が供給されるので、消費電力を抑制することができる。
【００５９】
また、本実施形態では、前回の時刻修正から所定期間が経過している場合に時刻修正の処理が実行されるので、必要な時期に時刻修正の処理を実行することができる。もちろん、ユーザーの選択により、ＵＳＢケーブルＫが接続される度に時刻修正の処理を実行してもよい。この場合には、図１１のフローチャートのステップＳ６２の処理をスキップすればよい。
【００６０】
なお、本実施形態では、電源選択スイッチ２５を設けて、予めユーザーが電源を選択する例について説明したが、電源選択スイッチ２５を設けずに、ＵＳＢケーブルＫの接続時には、ＵＳＢケーブルＫからの電力供給のみを行ない、ユーザーが電源ボタン２４をオンした場合に通常起動を行なうようにしてもよい。
【図面の簡単な説明】
【００６１】
【図１】第１実施形態のデジタルカメラの（Ａ）は前面図であり、（Ｂ）は背面図である。
【図２】第１実施形態のデジタルカメラとパーソナルコンピュータの斜視図である。
【図３】第１実施形態のデジタルカメラの制御系の概略ブロック図である。
【図４】第１実施形態の時刻確認処理のフローチャートである。
【図５】ＬＣＤへの、（Ａ）は時刻が信頼できる旨の表示であり、（Ｂ）は時刻が不正確である旨の表示である。
【図６】画像ファイル撮影日時修正処理のフローチャートである。
【図７】撮影日時修正処理のフローチャートである。
【図８】撮影日時不正確情報書き込み処理のフローチャートである。
【図９】第２実施形態のデジタルカメラの（Ａ）は前面図であり、（Ｂ）は背面図である。
【図１０】第２実施形態のデジタルカメラの制御系の概略ブロック図である。
【図１１】時刻修正期間確認処理のフローチャートである。
【符号の説明】
【００６２】
１０  デジタルカメラ
２５  電源選択スイッチ
３０  内蔵時計
３２  制御部
３５  外部メモリ
５０  パーソナルコンピュータ（外部装置）
５２  時計（外部時計）
８０  デジタルカメラ
【図１】
2005332362.tif 000003
【図２】
2005332362.tif 000004
【図３】
2005332362.tif 000005
【図４】
2005332362.tif 000006
【図５】
2005332362.tif 000007
【図６】
2005332362.tif 000008
【図７】
2005332362.tif 000009
【図８】
2005332362.tif 000010
【図９】
2005332362.tif 000011
【図１０】
2005332362.tif 000012
【図１１】
2005332362.tif 000013